【事件の表示】
　特許第３２３１２８５号「ドレンホースの接続部構造」の請求項１ないし５に係る特許に対する特許異議の申立てについて、次のとおり決定する。
【結　論】
　訂正を認める。
　特許第３２３１２８５号の請求項に係る特許を維持する。
【理　由】
〔１〕本件特許及び本件特許異議事件の手続の経緯
　本件特許第３２３１２８５号（以下「本件特許」という。）は、平成１１年２月１５日に出願されたものであって、平成１３年９月１４日に設定登録がされ、同年１１月１９日に特許公報に掲載されたものであり、これに対して、特許異議申立人・玉田修三より平成１３年１２月２５日付けで特許異議の申立てがされ、その後、当審の取消理由通知に対して、平成１４年１１月８日付け訂正請求書により訂正請求がされたものである。
　
〔２〕訂正の適否についての判断
１．本件訂正請求は、本件特許の明細書を以下のとおり訂正するものである。
ア．特許請求の範囲の請求項１を、
「室内用空調機内に備えるドレンパンにて受ける水滴を該ドレンパンの排出パイプに接続されるドレンホースを介して外部に排出可能に構成し、前記ドレンホースの接続側端部にシール材を収容するための環状の凹部を形成し、その凹部を、前記ドレンホースの接続側端部が径方向外方側に突出され、かつ、前記シール材のホース長手方向の一端面を受け止める受部となる第１壁部と、この第１壁部の外側端部から径方向と直交する方向に延出され、かつ、前記シール材の厚み方向外面を受け止める受部となる第２壁部と、この第２壁部の遊端部から径方向内方側に延出され、かつ、前記シール材のホース長手方向の他端面を受け止める受部となる第３壁部とからなる断面形状ほぼ短形状に構成し、前記凹部に該凹部の形状に合わせたシール材を収容し、前記ドレンホースの接続側端部を前記排出用パイプに外嵌した状態において、前記ドレンホースの接続側先端部を前記排出用パイプに接触又は接触に近い状態に構成したことを特徴とするドレンホースの接続部構造。」
と訂正する。
イ．特許請求の範囲の請求項２を、
「前記第３壁部の径方向内方側端部から径方向と直交する方向に口縁部を延出してなる請求項１記載のドレンホースの接続部構造。」
と訂正する。
ウ．発明の詳細な説明の段落番号００１１中、「が、円弧状や台形状等どのような形状にしてもよい」を削除する。
エ．発明の詳細な説明の段落番号００１６中、「することができる。」の後に、「また、第１壁部〜第３壁部までの３つの壁部にてシール材を確実に収容保持することができる。」との記載を追加する。
オ．発明の詳細な説明の段落番号００１７中、「第１壁部〜第３壁部までの３つの壁部にてシール材を確実に収容保持することができながらも、」を削除する。
　　
２．そこで、訂正事項について検討する。
　特許請求の範囲の請求項１は、「環状の凹部」の構成及び「シール材」の形状を限定するものであるから、この訂正は、特許請求の範囲を実質的に減縮するものであり、また、請求項２も、「シール材」の形状を限定するものであるから、特許請求の範囲を減縮する訂正に該当する。
  次に、発明の詳細な説明の訂正は、特許請求の範囲の訂正に伴って、特許請求の範囲の記載と整合させたものと認められるから、これらの訂正は、明りょうでない記載の釈明に該当する。
  そして、上記請求項１の訂正事項は、願書に添付した明細書に記載された事項の範囲内で訂正したものと認められ、実質上特許請求の範囲を拡張し又は変更するものでもない。
　そうすると、本件訂正は、全体として、特許法第１２０条の４第２項ただし書第１号および第３号にいう特許請求の範囲の減縮および明りょうでない記載の釈明に該当し、また、同条第３項で準用する第１２６条第２項及び第３項の規定にも適合する。
  したがって、本件各訂正はこれを認める。
　
〔３〕特許異議申立てについての判断
１．本件請求項１ないし請求項５に係る発明は、訂正された明細書及び図面の記載からみて、その特許請求の範囲の請求項１ないし請求項５に記載された以下のものにあると認める。
「請求項１
　室内用空調機内に備えるドレンパンにて受ける水滴を該ドレンパンの排出パイプに接続されるドレンホースを介して外部に排出可能に構成し、前記ドレンホースの接続側端部にシール材を収容するための環状の凹部を形成し、その凹部を、前記ドレンホースの接続側端部が径方向外方側に突出され、かつ、前記シール材のホース長手方向の一端面を受け止める受部となる第１壁部と、この第１壁部の外側端部から径方向と直交する方向に延出され、かつ、前記シール材の厚み方向外面を受け止める受部となる第２壁部と、この第２壁部の遊端部から径方向内方側に延出され、かつ、前記シール材のホース長手方向の他端面を受け止める受部となる第３壁部とからなる断面形状ほぼ短形状に構成し、前記凹部に該凹部の形状に合わせたシール材を収容し、前記ドレンホースの接続側端部を前記排出用パイプに外嵌した状態において、前記ドレンホースの接続側先端部を前記排出用パイプに接触又は接触に近い状態に構成したことを特徴とするドレンホースの接続部構造。
　請求項２
　前記第３壁部の径方向内方側端部から径方向と直交する方向に口縁部を延出してなる請求項１記載のドレンホースの接続部構造。
　請求項３
　前記第２壁部のドレンホース外嵌方向の寸法を前記排出用パ
イプの長手方向の寸法よりも小さく設定し、前記第１壁部の内方側端部を前記排
出用パイプに接触又は接触に近い状態に構成してなる請求項１又は２記載のドレ
ンホースの接続部構造。
　請求項４
　前記第２壁部の第３壁部側端部を径方向外側に突出して該第２壁部の他の部位よりも大径となる大径部を形成し、前記排出用パイプに前記ドレンホースの接続側端部を外嵌することによりシール材の接続側端部を前記大径部側に入り込ませるようにしてなる請求項１又は２記載のドレンホースの接続部構造。
　請求項５
　前記シール材を前記凹部内に収容した状態において、該シール材の一部が前記大径部に入り込むための突出部を該シール材に備えさせてなる請求項１又は２又は４記載のドレンホースの接続部構造。」
　
２．これに対して、特許異議申立人の異議申立ての理由は、訂正前の請求項１〜５に係る発明は、本件特許の出願前に頒布された甲第１号証ないし甲第５号証に記載された発明に基づいて当業者が容易に発明をすることができたものであるから特許法第２９条第２項の規定により、いずれも特許を受けることができない発明であり（理由１）、訂正前の請求項１に係る発明は、本件特許の出願前の特許出願であって本件特許の出願後に出願公開されたものの願書に最初に添付した明細書及び図面（甲第９号証）に記載された発明と同一であるから特許法第２９条の２の規定により特許を受けることができない発明であり（理由２）、さらに請求項３ないし５に係る発明は３６条第６項第２号に適合しない（理由３）、というにあるものと認められる。
証拠方法：
甲第１号証：発明協会公開技報９３−３２５９０（１９９３年１２月１日発行）
甲第２号証：実開昭５５−８４３７６号公報
甲第３号証：特公昭３６−１６５８８号公報
甲第４号証：特開平７−１７４２７１号公報
甲第５号証：実開昭５２−１３８４２８号公報
甲第６号証：特開昭５３−１４４１４６号公報
甲第７号証：特開平７−３３２５５５号公報
甲第８号証：米国特許第３５９６９３９号明細書
甲第９号証：特開平１１−９４１６３号公報
ほかに、以下の参考文献（公知文献１〜３）を提出している。
公知文献１：英国特許第１０３６４５９号明細書
公知文献２：米国特許第４３１５６３０号明細書
公知文献３：特開平３−９２６９１号公報
　そこで、異議申立人の主張する理由について検討する。
　異議申立人が提示した、本件特許の出願前に頒布された甲第１号証には、「エアコンドレンホース取り付け部」に関して記載されているが、本件特許の訂正後の請求項１に係る発明のような、「シール材のホース長手方向の一端面を受け止める受部となる第１壁部と、この第１壁部の外側端部から径方向と直交する方向に延出され、かつ、シール材の厚み方向外面を受け止める受部となる第２壁部と、この第２壁部の遊端部から径方向内方側に延出され、かつ、前記シール材のホース長手方向の他端面を受け止める受部となる第３壁部とからなる断面形状ほぼ短形状に構成し、凹部に該凹部の形状に合わせたシール材を収容し、ドレンホースの接続側端部を排出用パイプに外嵌した状態において、ドレンホースの接続側先端部を排出用パイプに接触又は接触に近い状態に構成した」点の構成に関しては記載も示唆もない。
　なお、請求項１中の「形状に合わせた」とは、断面形状ほぼ短形状の凹部に収容して第１壁、第２壁部、第３壁部と接した状態のもので、実施例図に例示されるような形状のものを意味し、異議申立人が提出した甲第１号証のような「Ｏリングを凹部に収容したもの」は、本件請求項１に係る発明の範囲外のものと認められる。特許権者も、平成１４年１０月２２日期日の口頭審理において、同趣旨の陳述を行った。
　また、異議申立人が提出したその他の甲号各証は、「管継手」に関するものであって、本件請求項１に係る発明の上記主要な構成に関しては記載も示唆もない。
　そして、本件特許の訂正後の請求項１に係る発明は、請求項１に記載された構成が相俟って、明細書記載の効果を奏するものと認められる。
　したがって、その余について検討するまでもなく、本件請求項１に係る発明が、異議申立人の提示した甲号各証に記載された発明に基づいて当業者が容易に発明をすることができたものであるとすることはできない。
　また、請求項２〜５に係る発明は、請求項１に係る発明の構成をさらに限定した発明であるから、請求項２〜５に係る発明についても、異議申立人の提示した甲号各証に記載された発明に基づいて当業者が容易に発明をすることができたものであるとすることはできない。
　次に、甲第９号証に係る先願明細書及び図面には、もっぱら「伸縮離脱防止継手」について記載されており、本件請求項１に係る発明のような「レンホースの接続部構造」については記載されていない。したがって、本件請求項１に係る発明が、提出された証拠方法に基づいて特許法第２９条の２の規定により特許を受けることができない発明であるとすることはできない。
  さらに、請求項３〜５における第１〜３壁部は、発明の詳細な説明及び図面からみて、図の６Ａ〜Ｃに示される部分であることが明らかであり、大径部についても図の６Ｅの部分を指すことが明らかであるから、異議申立人のいうような不明確であるとはいえない。したがって、請求項３〜５に係る発明が３６条第６項第２号に適合しないということはできない。
　
〔４〕まとめ
　以上によれば、特許異議申立人の主張する申立ての理由及び提出した証拠方法によっては、本件請求項１ないし５に係る特許を取り消すことはできない。また、ほかに本件各特許を取り消すべき理由を発見しない。
　よって、結論のとおり決定する。
【異議決定日】
平成１４年１１月１３日（２００２．１１．１３）
【訂正の要旨】
ア．特許請求の範囲の請求項１を、
「室内用空調機内に備えるドレンパンにて受ける水滴を該ドレンパンの排出パイプに接続されるドレンホースを介して外部に排出可能に構成し、前記ドレンホースの接続側端部にシール材を収容するための環状の凹部を形成し、その凹部を、前記ドレンホースの接続側端部が径方向外方側に突出され、かつ、前記シール材のホース長手方向の一端面を受け止める受部となる第１壁部と、この第１壁部の外側端部から径方向と直交する方向に延出され、かつ、前記シール材の厚み方向外面を受け止める受部となる第２壁部と、この第２壁部の遊端部から径方向内方側に延出され、かつ、前記シール材のホース長手方向の他端面を受け止める受部となる第３壁部とからなる断面形状ほぼ短形状に構成し、前記凹部に該凹部の形状に合わせたシール材を収容し、前記ドレンホースの接続側端部を前記排出用パイプに外嵌した状態において、前記ドレンホースの接続側先端部を前記排出用パイプに接触又は接触に近い状態に構成したことを特徴とするドレンホースの接続部構造。」
と訂正する。
イ．特許請求の範囲の請求項２を、
「前記第３壁部の径方向内方側端部から径方向と直交する方向に口縁部を延出してなる請求項１記載のドレンホースの接続部構造。」
と訂正する。
ウ．発明の詳細な説明の段落番号００１１中、「が、円弧状や台形状等どのような形状にしてもよい」を削除する。
エ．発明の詳細な説明の段落番号００１６中、「することができる。」の後に、「また、第１壁部〜第３壁部までの３つの壁部にてシール材を確実に収容保持することができる。」との記載を追加する。
オ．発明の詳細な説明の段落番号００１７中、「第１壁部〜第３壁部までの３つの壁部にてシール材を確実に収容保持することができながらも、」を削除する。
（５４）【発明の名称】
ドレンホースの接続部構造
（５７）【特許請求の範囲】
　【請求項１】　室内用空調機内に備えるドレンパンにて受ける水滴を該ドレンパンの排出用パイプに接続されるドレンホースを介して外部に排出可能に構成し、前記ドレンホースの接続側端部に
シール材を収容するための環状の凹部を形成し、その凹部を、前記ドレンホースの接続側端部が径方向外方側に突出され、かつ、前記シール材のホース長手方向の一端面を受け止める受部となる第１壁部と、この第１壁部の外側端部から径方向と直交する方向に延出され、かつ、前記シール材の厚み方向外面を受け止める受部となる第２壁部と、この第２壁部の遊端部から径方向内方側に延出され、かつ、前記シール材のホース長手方向の他端面を受け止める受部となる第３壁部とからなる断面形状ほぼ矩形状に構成し、前記凹部に該凹部の形状に合わせたシール材を収容し、
　【請求項２】　
前記
　【請求項３】　前記第２壁部のドレンホース外嵌方向の寸法を前記排出用パイプの長手方向の寸法よりも小さく設定し、前記第１壁部の内方側端部を前記排出用パイプに接触又は接触に近い状態に構成してなる請求項１又は２記載のドレンホースの接続部構造。
　【請求項４】　前記第２壁部の第３壁部側端部を径方向外側に突出して該第２壁部の他の部位よりも大径となる大径部を形成し、前記排出用パイプに前記ドレンホースの接続側端部を外嵌することによりシール材の接続側端部を前記大径部側に入り込ませるようにしてなる請求項１又は２記載のドレンホースの接続部構造。
　【請求項５】　前記シール材を前記凹部内に収容した状態において、該シール材の一部が前記大径部に入り込むための突出部を該シール材に備えさせてなる請求項１又は２又は４記載のドレンホースの接続部構造。
【発明の詳細な説明】
　【０００１】
　【発明の属する技術分野】
　本発明は、室内用空調機内に備えるドレンパンに貯留される水滴を該ドレンパンの排出用パイプに接続されるドレンホースを介して外部に排出可能に構成してなるドレンホースの接続部構造に関する。
　【０００２】
　【従来の技術】
　従来のドレンホースとして、例えば図１１に示すものがある。これは、ドレンホース２０の一端にそれの径方向外方側に突出され、かつ、環状のシール材２２のホース長手方向の一端２２Ａを受け止める受部となる第１壁部２１Ａと、この第１壁部２１Ａの外側端部から径方向と直交する方向に延出され、かつ、前記シール材２２の厚み方向外面２２Ｂを受け止める受部となる第２壁部２１Ｂとから、前記シール材２２を収容することができる収容部２３を構成し、前記第２壁部２１Ｂの端部に形成された開口部２１Ｋからシール材２２を挿入することにより装着できるようにしている。そして、このように構成されたドレンホース２０の一端をドレンパン２４の排出用パイプ２５に外嵌することにより、ドレンホース２０を排出用パイプ２５に接続することができるようにしている。
　【０００３】
　上記構成の収容部２３は、一端側が開口された形状であるため、図１１に示す矢印方向にＰの外力が作用すると、この矢印方向と反対側のシール材２２の部位が圧縮変形され、ついには、そのシール材２２を接当支持している第２壁部２１Ｂの部位が反力を受けて外拡がり方向、図の矢印Ｒ方向に変形してしまい、開口部２１Ｋの径が局部的に大きくなる結果、ドレンホース２０が排出用パイプ２５から外れてしまうことがあった。
　又、一端が開放された収容部２３であることから、排出用パイプ２５に外嵌されているシール材２２に対してドレンホース２０が容易に外れてしまうことがないようにするために、接着剤等を用いてシール材２２をドレンホース２０に固定する必要があり、その接着作業が手間のかかる煩わしい作業になるだけでなく、接着むら等による接着不良により早期にシール材２２に対してドレンホース２０が外れてしまうことがあり、改善の余地があった。
　【０００４】
　【発明が解決しようとする課題】
　本発明が前述の状況に鑑み、解決しようとするところは、シール材を接着剤等により収容部に固定しなくても、シール材に対してドレンホースが容易に外れてしまうことを回避することができるとともに、ドレンホースが排出用パイプから外れることを長期間に渡って回避することができるドレンホースの接続部構造を提供する点にある。
　【０００５】
　【課題を解決するための手段】
　本発明は、前述の課題解決のために、室内用空調機内に備えるドレンパンにて受ける水滴を該ドレンパンの排出用パイプに接続されるドレンホースを介して外部に排出可能に構成し、前記ドレンホースの接続側端部に環状の凹部を形成するために、該ドレンホースをそれの径方向外方側に突出させ、その凹部にシール材を収容し、前記ドレンホースの接続側端部を前記排出用パイプに外嵌した状態において、前記ドレンホースの接続側先端部を前記排出用パイプに接触又は接触に近い状態に構成している。
　従って、ドレンホースの環状の凹部にシール材をドレンホースの一端から挿入して収容することによって、接着剤等を使用しなくても、ドレンホース内にシール材を常に収容した状態に維持することができるから、排出用パイプに外嵌されているシール材に対してドレンホースが外れるようなことがない。しかも、前記凹部の接続側先端部を排出用パイプに接触又は接触に近い状態に構成しているから、図２（ロ）及び図３（ロ）に示すように、ドレンホース３に矢印方向にＰの外力が作用すると、ドレンホース３の接続側先端部、つまり後述する口縁部６Ｄの内面６ｄの一部が排出用パイプ２に接当し、その部分の先端部が外拡がり方向、図の矢印Ｒ方向に変形することを回避することができ、ドレンホース３が排出用パイプ２から外れ難くすることができる。
　前記のようにドレンホース３が、図の矢印Ｒ方向に変形することを回避することによりドレンホース３が排出用パイプ２から外れ難くできる理由を考察してみると、例えば図１０に示すように、α°をドレンホース３が初期姿勢（図に２点鎖線で示す水平姿勢）から変形したときの変形姿勢（図に２点鎖線で示す角度αのみ傾斜した傾斜姿勢）に変化したときの傾斜角度とし、Ｐｎをドレンホース３引抜方向の力とし、前記外力Ｐを一定とすると、
　Ｐｎ＝ｓｉｎα・Ｐ、Ｐｍ＝ｃｏｓα・Ｐとなり、αの値が大きくなればなるほど、Ｐｎが大きくなることから、前記のようにドレンホース３の変形を回避することで、ドレンホース３引抜方向の力が大きくなることを抑制することができるのである。
　【０００６】
　具体的には、前記凹部を、ドレンホースの接続側端部が径方向外方側に突出され、かつ、前記シール材のホース長手方向の一端を受け止める受部となる第１壁部と、この第１壁部の外側端部から径方向と直交する方向に延出され、かつ、前記シール材の厚み方向外面を受け止める受部となる第２壁部と、この第２壁部の遊端部から径方向内方側に延出され、かつ、前記シール材のホース長手方向の他端を受け止める受部となる第３壁部とからなる断面形状ほぼコの字状の環状部から構成し、前記第３壁部の径方向内方側端部から径方向と直交する方向に口縁部を延出している。
　３つの壁部にてシール材を確実に収容保持することができながらも、延出された広い接当面積を有する口縁部にて前述のようにドレンホースに矢印方向に作用する外力Ｐを確実に受け止めることができる。
　【０００７】
　前記第２壁部のドレンホース外嵌方向の寸法を前記排出用パイプの長手方向の寸法よりも小さく設定し、前記第１壁部の内方側端部を前記排出用パイプに接触又は接触に近い状態に構成することによって、図８（ロ）に示すように、前述のようにドレンホース３に矢印方向にＰの外力が作用した場合に、ドレンホース３の先端部、つまり後述する口縁部６Ｄの内面６ｄの一部が排出用パイプ２に接当するだけでなく、ドレンホース３の第１壁部６Ａの内方側端部６ａの一部が排出用パイプ２に接当することにより、ドレンホース３が図の矢印Ｒ方向に変形することをより一層回避することができる。
　【０００８】
　前記第２壁部の第３壁部側端部を径方向外側に突出して該第２壁部の他の部位よりも大径となる大径部を形成し、前記排出用パイプに前記ドレンホースの接続側端部を外嵌することによりシール材の接続側端部を前記大径部側に入り込ませるようにしている。
　排出用パイプにドレンホースの接続側端部を外嵌すると、排出用パイプがシール材を拡径方向に押圧してシール材の接続側端部が大径部側に入り込み、シール材がドレンホースの接続側端部側に移動してドレンホースから外れてしまうことを確実に回避することができる。
　【０００９】
　前記シール材を前記凹部内に収容した状態において、該シール材の一部が前記大径部に入り込むための突出部を該シール材に備えさせることによって、大径部へのシール材の入り込み度合いを大きくすることができ、ドレンホースからシール材が外れてしまうことをより一層確実に回避することができる。
　【００１０】
　【発明の実施の形態】
　図１に、室内用空調機内に備えるドレンパン１に貯留される水滴を外部に排出するために、該ドレンパン１の排出用パイプ２に接続されるドレンホース３が示されている。前記ドレンホース３の外面には、断熱チューブ４が装着されているが、この断熱チューブ４は省略してもよい。又、前記ドレンホース３は、合成樹脂でなり、環状の凸部５Ａと環状の凹部５Ｂとを交互に備えた波形状のホース本体５と、このホース本体５の両端に一体形成された端部６，７とからなっている。これら端部のうちの一方の端部６が、前記排出用パイプ２に接続される接続側端部であり、他方の端部７が、別のホース（図示せず）を接続してホースを延長可能とするために備えさせたものであるが、前記他方の端部７は、無くてもよい。又、前記ホース本体５の形状は、図に示すもの以外、例えば凸部と凹部とが螺旋状に形成されたものや、波形ではなくストレートなものでもよい。又、ホース本体５の断面形状が円形のものの他、楕円状又は矩形状あるいは多角形状等どのような形状のものでもよい。尚、図では、前記ドレンパン１を前記排出用パイプ２やドレンホース３の左側に書いているが、実際には、ドレンパン１が最上方に位置するものであり、図において左側が上方になり、右側が下方になるものであるが、以下においてもドレンパン１を排出用パイプ２やドレンホース３の左側に書くものとする。
　【００１１】
　前記接続側端部６には、ゴムや合成樹脂等の弾性力を有する材料で作製された環状のシール材９を収容するための環状の凹部１０が形成されており、この凹部１０は、図２（イ），（ロ）及び図３（イ），（ロ）に示すように、前記ホース本体５の一端に延出された該ホース本体５の凹部５Ｂよりも大径な環状部８の端部から径方向外方側に突出され、かつ、シール材９の一端面９Ａを受け止める受部となる第１壁部６Ａと、この第１壁部６Ａの外側端部から径方向と直交する方向に延出され、かつ、前記シール材９の厚み方向外面９Ｂを受け止める受部となる第２壁部６Ｂと、この第２壁部６Ｂの遊端部から径方向内方側に延出され、かつ、前記シール材９のホース長手方向の他端面９Ｃを受け止める受部となる第３壁部６Ｃとからなる断面形状ほぼコの字状の環状部から構成し、前記第３壁部の径方向内方側端部から径方向と直交する方向に口縁部６Ｄを延出し、口縁部６Ｄの内面６ｄにて形成される開口部を通してシール材９をホース内に挿入することにより、シール材９を凹部１０に収容させるようにしている。
　又、前記口縁部６Ｄの内面６ｄが排出用パイプ２に接触した状態に近い状態になるように該口縁部６Ｄを構成している。この接触に近い状態というのは、図２（ロ）に示すようにドレンホース３に矢印方向にＰの外力が作用した場合に、口縁部６Ｄの内面６ｄの一部が直ちに接当して、ドレンホース３が図の矢印Ｒ方向に変形することを回避することができる範囲である。前記排出用パイプ２は、ドレンホース３側の端部ほど細い直径となるテーパー面２Ａを備えており、ドレンホース３の一端を排出用パイプ２に外嵌した場合に、ドレンホース３の端部側ほどシール材９を圧縮変形させてシール性能が高くなるようにしている。前記凹部１０を断面形状ほぼ矩形状に構成して、シール材９を確実に受け止めることができるようにし
た。
　【００１２】
　前記ドレンホース３の接続側端部６を前記排出用パイプ２に外嵌した状態において、前記シール材９の弾性変形に伴い該シール材９の一部が前記凹部１０から嵌合方向のドレンホース３の接続側に食み出すことがないようにシール材９の角部の形状を、図２（イ），（ロ）及び図３（イ），（ロ）に示すように形成している。つまり、シール材９の嵌合方向一側、つまりドレンパン１側に傾斜面９Ｆを形成して、シール材９の一部がドレンホース３の接続側に食み出すことがないようにしている。従って、シール材９の一部がドレンホース３の接続側に食み出し、その食み出したシール材９の一部がドレンホース３の口縁部６Ｄの内面６ｄと排出用パイプ２のテーパー面２Ａとの間に入り込んでシール不良等を起こすことがないようにしている。しかも、奥側に行くほど内径側に突出する傾斜面９Ｆとすることによって、シール材９のシール作用が入口部で急激に発揮されることなく、徐々に発揮されることになり、入口部付近でのシール不良が発生することがないようにしている。
　【００１３】
　図２（イ），（ロ）及び図３（イ），（ロ）では、前記ドレンホース３の接続側端部６の長手方向の寸法が前記排出用パイプ２の長手方向の寸法よりも長い場合であり、これとは逆に、例えば図７〜図９では、前記ドレンホース３の接続側端部６の長手方向の寸法が前記排出用パイプ２の長手方向の寸法よりも短い場合が示されており、この場合には、シール材９の嵌合方向他側、つまりドレンパン１から離間する側にも傾斜面９Ｇを形成して、シール材９がホース本体側に食み出すことがないようにしている。尚、前記傾斜面９Ｆ，９Ｇの形状は、図に示されるもの以外でもよい。図７、図８（ロ）及び図９では、第１壁部６Ａの内方側端部６ａが、排出用パイプ２のテーパー面２Ａに接当しない状態になるように、第１壁部６Ａの内方側端部６ａの径寸法を設定しているが、第１壁部６Ａの内方側端部６ａが、排出用パイプ２のテーパー面２Ａに接当した状態になるように、第１壁部６Ａの内方側端部６ａの径寸法を設定してもよい。
　【００１４】
　図３（イ），（ロ）にも示すように、前記第２壁部６Ｂの第３壁部６Ｃ側端部を径方向外側に突出して該第２壁部６Ｂの他の部位よりも大径となる大径部６Ｅを形成し、シール材９を凹部１０内に収容した状態においては、図３（イ）に示すように大径部６Ｅ内に空間６ｅが形成されており、この状態から図２（ロ）及び図３（ロ）に示すように前記排出用パイプ２に前記ドレンホース３の接続側端部を外嵌することにより、シール材９の接続側端部の一部が前記大径部６Ｅ内の空間６ｅに入り込んで、シール材９がドレンホース３から外れることがないようにしている。前記大径部６Ｅの無いドレンホース３であってもよく、これを図８（イ），（ロ）及び図９に示している。そして、図８（イ），（ロ）及び図９では、ホース本体５の形状等が多少異なる程度で、他の構成は、図２（イ），（ロ）と同様であるため、同一符号を付すとともに、説明を省略する。又、図９では、図８（イ），（ロ）で示したドレンホース３を長手方向同一径のストレートな排出用パイプ２に外嵌した状態を示している。
　【００１５】
　前記大径部６Ｅの突出度合いを、図４（イ），（ロ）及び図５（イ），（ロ）に示すように、大きくするとともに、前記シール材９を凹部１０内に収容した状態において、シール材９の一部が大径部６Ｅで形成される空間６ｅ内に入り込むための突出部９Ｔ（図６参照）を一体形成して、シール材９を構成してもよい。このように突出部９Ｔを形成することによって、第３壁部６Ｃに対する大径部６Ｅの他端面９Ｃの接当面積を図３（イ），（ロ）に比べて増大させることができ、その分シール材９に対してドレンホース３が外れ難くすることができる。
　【００１６】
　【発明の効果】
　請求項１によれば、ドレンホースに形成した環状の凹部にシール材を収容するだけで、従来のようにシール材を接着剤等により収容部に固定しなくても、シール材に対してドレンホースが外れることがなく、長期間に渡ってドレンパンに貯留される水滴を外部に良好に排出することができるものでありながら、製造面及びコスト面のいずれにおいても有利にすることができる。しかも、前記凹部の接続側先端部を排出用パイプに接触又は接触に近い状態に構成しているから、ドレンホースに外力が作用した場合でも、ドレンホースの接続側先端部が外拡がり方向に変形することを回避することができ、ドレンホースが排出用パイプから外れることを長期間に渡って回避することができるドレンホースの接続部構造を提供することができる。
また、第１壁部〜第３壁部までの３つの壁部にてシール材を確実に収容保持することができる。
　【００１７】
　請求項２によれば
、延
　【００１８】
　請求項３によれば、第２壁部のドレンホース外嵌方向の寸法を排出用パイプの長手方向の寸法よりも小さく設定し、第１壁部の内方側端部を排出用パイプに接触又は接触に近い状態に構成することによって、前述のようにドレンホースに外力が作用した場合に、ドレンホースの接続側先端部が外拡がり方向に変形することをより一層回避することができ、より一層信頼性の高いドレンホースの接続部構造を提供することができる。
　【００１９】
　請求項４によれば、第２壁部の第３壁部側端部を径方向外側に突出して第２壁部の他の部位よりも大径となる大径部を形成することによって、排出用パイプにドレンホースの接続側端部を外嵌するに伴い、排出用パイプがシール材を拡径方向に押圧してシール材の接続側端部が大径部側に入り込み、シール材がドレンホースの接続側端部側に移動してドレンホースから外れてしまうことを確実に回避することができ、シール性能を確実に発揮させることができる。
　【００２０】
　請求項５によれば、シール材を凹部内に収容した状態において、シール材の一部が前記大径部に入り込むための突出部をシール材に備えさせることによって、大径部へのシール材の入り込み度合いを大きくすることができ、ドレンホースからシール材が外れてしまうことをより一層確実に回避することができ、より一層信頼性の高いドレンホースの接続部構造を提供することができる。
【図面の簡単な説明】
　【図１】
　ドレンホースを排出用パイプに外嵌した状態を示す一部切り欠き断面図。
　【図２】
　（イ）はドレンホースを排出用パイプに外嵌する直前の状態を示す説明図、（ロ）はドレンホースを排出用パイプに外嵌した状態を示す説明図。
　【図３】
　（イ）はドレンホースの要部を示す断面図、（ロ）はドレンホースを排出用パイプに外嵌した状態の要部を示す説明図。
　【図４】
　別の形状のドレンホースを示し、（イ）はドレンホースを排出用パイプに外嵌する直前の状態を示す説明図、（ロ）はドレンホースを排出用パイプに外嵌した状態を示す説明図。
　【図５】
　（イ）は図４のドレンホースの要部を示す断面図、（ロ）は図４のドレンホースを排出用パイプに外嵌した状態の要部を示す説明図。
　【図６】
　図４及び図５で示したシール材の一部断面にした側面図。
　【図７】
　別の形状のドレンホースを排出用パイプに外嵌した状態を示す説明図。
　【図８】
　別の形状のドレンホースを示し、（イ）はドレンホースを排出用パイプに外嵌する直前の状態を示す説明図、（ロ）はドレンホースを排出用パイプに外嵌した状態を示す説明図。
　【図９】
　別の形状のドレンホースを排出用パイプに外嵌した状態を示す説明図。
　【図１０】
　ドレンホースが変形する原理を示す説明図。
　【図１１】
　従来のドレンホースを示し、ドレンホースを排出用パイプに外嵌した状態を示す説明図。
　【符号の説明】
　１　ドレンパン　　　２　排出用パイプ
　２Ａ　テーパー面　　３　ドレンホース
　４　断熱チューブ　　５　ホース本体
　５Ａ　凸部　　　　　５Ｂ　凹部
　６，７　接続側端部　６Ａ　第１壁部
　６Ｂ　第２壁部　　　６Ｃ　第３壁部
　６Ｄ　口縁部　　　　６Ｅ　大径部
　６ａ　内方側端部　　６ｄ　内面
　６ｅ　空間　　　　　８　環状部
　９　シール材　　　　９Ａ　一端面
　９Ｂ　外面　　　　　９Ｃ　他端面
　９Ｆ，９Ｇ　傾斜面　９Ｔ　突出部
　１０　凹部　　　　　２０　ドレンホース
　２１Ａ　第１壁部　　２１Ｂ　第２壁部
　２１Ｋ　開口部　　　２２　シール材
　２２Ａ　一端　　　　２２Ｂ　外面
　２３　収容部　　　　２４　ドレンパン
　２５　排出用パイプ